(57)【特許請求の範囲】
【請求項１】
少なくとも屋根の下地の下側と破風板の背面側と板状に成形された軒天材の上側とにより形成された軒天井空間を換気する軒天井の換気構造であって、
上記軒天材は、軒先側中途部に上記破風板の長さ方向と同じ方向に長さを有する細長い単一の換気用開口又は該破風板の長さ方向と同じ方向の一列に並んだ複数の換気用開口と、該軒天材の先端から上記換気用開口に至る破風板固定部とが形成され、
この軒天材は、上記破風板固定部の上面が上記破風板の下面に固定された状態で上記軒天井空間を下側から閉塞してなり、
上記破風板の正面には破風板金が固定され、この破風板金の下端側は、上記換気用開口の下方まで延設されてなるとともに、
上記軒天材には、該軒天材の破風板側端部から前記換気用開口の長さ方向と直交する方向に単一又は複数の補強板が固定されてなることを特徴とする軒天井の換気構造。
【請求項２】
前記軒天材に形成された換気用開口の前記破風板の長さ方向と直交して互いに対向する内壁面の少なくとも一方の内壁面には、火災の際に膨張する膨張材が配置されてなることを特徴とする請求項１記載の軒天井の換気構造。
【発明の詳細な説明】
【技術分野】
【０００１】
本発明は、軒天井の換気構造に関り、少なくとも屋根の下地の下側と破風板の背面側と板状に成形された軒天材の上側とにより形成された軒天井空間を換気する軒天井の換気構造に関するものである。
【背景技術】
【０００２】
従来、軒天井空間を閉塞する軒天材は、該軒天上空間を換気するために、多数の円形状の開口が散点状に形成されているもの、又は長方形状の開口が多数並列した状態で形成されたものが提案されている（特許文献１参照）。また、こうした軒天材を構成要素とした軒天井空間の換気構造としては、軒天材の先端と他の部材との間に換気用の空間を形成したもの（特許文献２参照）や、一方の化粧モールと軒天材の一側との間及び他方の化粧モールと軒天材の他側との間に換気用の空間をそれぞれ形成したもの（特許文献３参照）が開示されている。
【特許文献１】特開平０９−１６５８４２号公報
【特許文献２】特開２００８−０２５０３４号公報
【特許文献３】特開平０９−０４１４７７号公報
【発明の開示】
【発明が解決しようとする課題】
【０００３】
しかしながら、上記特許文献１に開示された多数の円形状の開口が散点状に形成された軒天材も、長方形状の開口が多数並列した状態で形成された軒天材も、それぞれ製造するためには上記開口を形成しなければならず、製造コストが上昇するばかりか、軒に施工した場合には、上記各開口が下側から視認できることから建物の外観を損なう。他方、特許文献２に開示された軒天井の換気構造では、軒天材に開口を形成していない点においては、その製造コストを低減できるメリットは有するものの、軒の下側から換気用の開口が視認されてしまい、建物の外観を損なう点においては、上記特許文献１が有する課題と共通した課題を有する。これに対して、上記特許文献３に開示された軒天井の換気構造では、こうした課題は解消されているが、軒天材の固定構造が複雑となり、（特許文献３には明確に開示されていないが、仮に）横材に固定された野縁に固定されている構造である場合には、極めて複雑な施工構造とならざるを得ず、部材のコストが上昇するとともに、建物の建設工期の長期化を招く。
【０００４】
そこで、本発明は、上述した従来の軒天材や、軒天材を構成要素とする軒天井の換気構造が有する課題を解決するために提案されたものであって、軒天材の製造コストを抑制することができ、建物の外観も向上させることができるとともに、特別の部材を使用することがなく工期の短縮化にも十分貢献することができる新規な軒天井の換気構造を提供することを目的とするものである。
【課題を解決するための手段】
【０００５】
上述した目的を達成するため、第１の発明（請求項１記載の発明）に係る軒天井の換気構造は、少なくとも屋根の下地の下側と破風板の背面側と板状に成形された軒天材の上側とにより形成された軒天井空間を換気する軒天井の換気構造であって、上記軒天材は、軒先側中途部に上記破風板の長さ方向と同じ方向に長さを有する細長い単一の換気用開口又は該破風板の長さ方向と同じ方向の一列に並んだ複数の換気用開口と、該軒天材の先端から上記換気用開口に至る破風板固定部とが形成され、この軒天材は、上記破風板固定部の上面が上記破風板の下面に固定された状態で上記軒天井空間を下側から閉塞してなり、上記破風板の正面には破風板金が固定され、この破風板金の下端側は、上記換気用開口の下方まで延設されてなるとともに、上記軒天材には、該軒天材の破風板側端部から前記換気用開口の長さ方向と直交する方向に単一又は複数の補強板が固定されてなることを特徴とするものである。
【０００６】
この第１の発明では、軒天材には、細長い単一の換気用開口又は一列に並んだ複数の換気用開口が形成されていることから、従来の多数の円形状の開口が散点状に形成された軒天材や、長方形状の開口が多数並列した状態で形成された軒天材に対して軒天材の製造コストを抑制することができる。また、破風板の正面には破風板金が固定され、この破風板金の下端側は、上記換気用開口の下方まで延設されてなることから、該換気用開口が軒の下側から視認されることはなく、建物の外観を向上させることができる。さらに、この発明では、上述したように、換気用開口は、軒天材そのものに予め形成されており、該軒天材の施工時において野縁等の他の部材との間隔を開けて施工するものではないことから、施工の手間を省くことができ、工期の短縮化に十分貢献できるとともに、野縁等の他の部材との関係で換気用開口を設けるものではなく、これまでも使用されている破風板の下面に破風板固定部の上面を固定する構造としていることから、使用する建築材料のコストの増加を招くことが無い。なお、軒天材の設置姿勢は特に限定されるものではなく、野地板と平行であっても水平であってもよい。また、軒天材の素材は特に限定されるものではなく、木版、合板、樹脂板、金属板、セメント系化合物、石膏ボード等を使用することができる。また、この発明では、上記軒天材の換気用開口の長さ方向と直交する方向が補強板により補強されていることから、軒天材の素材を石膏ボードなどの耐火性には優れているが脆性の不燃材を使用することが可能となるとともに、施工時において誤って割ったりヒビ割れを生じたりする危険性を防止することができ、それに伴う工期の長期化を防止でき、さらには耐久性が向上された軒天井の施工構造とすることができる。
【０００７】
また、第２の発明（請求項２記載の発明）は、上記第１の発明において、前記軒天材に形成された換気用開口の前記破風板の長さ方向と直交して互いに対向する内壁面の少なくとも一方の内壁面には、火災の際に膨張する膨張材が配置されてなることを特徴とするものである。
【０００８】
この第２の発明では、軒天材の換気用開口に予め膨張材を配置しておき、その軒天材を建物に施工することが可能となり、建築現場において、前記膨張材を施工する手間を省略することができるので、さらに工期の短縮に貢献することができる。
【発明の効果】
【００１１】
上記第１の発明（請求項１記載の発明）では、軒天材には、細長い単一の換気用開口又一列に並んだ複数の換気用開口が形成されていることから、従来の多数の円形状の開口が散点状に形成された軒天材や、長方形状の開口が多数並列した状態で形成された軒天材に対して軒天材の製造コストを抑制することができる。また、破風板の正面には破風板金が固定され、この破風板金の下端側は、上記換気用開口の下方まで延設されてなることから、該換気用開口が軒の下側から視認されることはなく、建物の外観を向上させることができる。さらに、この発明では、上述したように、換気用開口は、軒天材そのものに予め形成されており、該軒天材の施工時において野縁等の他の部材との間隔を開けて施工するものではないことから、施工の手間を省くことができ、工期の短縮化に十分貢献できるとともに、野縁等の他の部材との関係で換気用開口を設けるものではなく、これまでも使用されている破風板の下面に破風板固定部の上面を固定する構造としていることから、使用する建築材料のコストの増加を招くことが無い。また、この発明では、上記軒天材の換気用開口の長さ方向と直交する方向が補強板により補強されていることから、軒天材の素材を石膏ボードなどの耐火性には優れているが脆性の不燃材を使用することが可能となるとともに、施工時において誤って割ったりヒビ割れを生じたりする危険性を防止することができ、それに伴う工期の長期化を防止でき、さらには耐久性が向上された軒天井の施工構造とすることができる。
【００１２】
また、第２の発明（請求項２記載の発明）では、軒天材の換気用開口に予め膨張材を配置しておき、その軒天材を建物に施工することが可能となり、建築現場において、前記膨張材を施工する手間を省略することができるので、さらに工期の短縮に貢献することができる。
【発明を実施するための最良の形態】
【００１４】
以下、本発明を実施するための最良の形態を、図面を参照しながら詳細に説明する。この実施の形態に係る軒天井の換気構造１は、図１又は図２に示すように、屋根の下地である複数の野地板５と、各垂木４の先端に固定された破風板７と、後述する軒天井空間１７を換気する複数の換気用開口１４ｃが形成され上記野地板５の下方に配置された複数の軒天材１４と、上記野地板５の下側と破風板７の背面側と板状に成形された上記軒天材１４の上側との間に形成された軒天井空間１７と、上記破風板７の正面に固定され上記軒天材１４の換気用開口１４ｃの下方まで延設された破風板金１８と、上記軒天材１４の換気用開口１４ｃ内に配置され火災時に該換気用開口１４ｃを閉塞する複数の膨張材１６と、上記軒天材１４の換気用開口１４ｃ近傍を補強する複数の補強板１５とから構成されている。
【００１５】
先ず、軒天井の構成は、図４又は図５に示すように、柱２の上面に軒桁３が図示しない棟木と平行に横架され、この軒桁３上には複数の垂木４が傾斜して配置され、これら垂木４の上面に屋根の下材である複数の野地板５が固定され、これら野地板５の先端に当接する広子舞６が前記軒桁３と平行に固定されているとともに、前記垂木４の先端には、破風板７が前記軒桁３と平行に固定されている。また、柱２及び軒桁３の軒先側には、合板１１と胴縁１２が固定され、この胴縁１２の近傍位置には、野縁１３が図示しない吊り木部材に前記軒桁３と平行に固定されている。そして、前記破風板７の下面と野縁１３の下面とには、後述する複数の軒天材１４が前記野地板５と略平行に固定され、これら軒天材１４の上側と野地板５の下側と破風板７の背面側との間に形成される軒天井空間１７を該軒天材１４により閉塞している。なお、前記軒天材１４の設置姿勢は、前記野地板５と略平行であることに限定されるものではなく、例えば水平であってもよい。また、軒の出の出幅を増す等の場合には、前記軒天材１４の上面１４ｇであって図１に示す破風板７と野縁１３との中間位置には、図示しない吊り木部材と野縁とを追加して該軒天材１４の中間位置を固定しても良い。
【００１６】
これらの軒天材１４は、セメント系化合物を繊維補強したケイ酸カルシウム板により施工前に予め図３に示す形態にそれぞれ成形されてなり、図１ないし図３に示すように、軒天井空間１７を下側から閉塞する面積を有する閉塞基板部１４ａと、破風板７の下面に固定される面積を有する破風板固定部１４ｂと、軒先側の中途部であって閉塞基板部１４ａと破風板固定部１４ｂとの間に破風板７の長さ方向と同じ方向の一列に並んで形成された２個の換気用開口１４ｃ，１４ｃと、これら換気用開口１４ｃ，１４ｃの長さ方向の端部に隣接して形成され閉塞基板部１４ａと破風板固定部１４ｂとを接続する接続部１４ｄ，１４ｅ，１４ｆとより構成されている。したがって、これらの軒天材１４が前記破風板７の下面と、前記野縁１３の下面とにそれぞれ固定された後の軒天井空間１７は、外気と流通する各軒天材１４の換気用開口１４ｃ，１４ｃにより換気されるとともに、各軒天材１４の閉塞基板部１４ａにより閉塞される。なお、各軒天材１４に形成される換気用開口の数は２個に限定されるものではなく、前記破風板７の長さ方向と同じ方向に長さを有する細長い単一の換気用開口、又は該破風板７の長さ方向と同じ方向の一列に並んだ２個以上の換気用開口により構成することができる。また、前記軒天材１４の素材は、上記ケイ酸カルシウム板に限定されるものではなく、木版、合板、樹脂板、金属板、その他のセメント系化合物、石膏ボード等を使用することができるが、耐火性を維持するためには不燃材料が好ましい。
【００１７】
また、前記軒天材１４の上面１４ｇであって接続部１４ｄ，１４ｅ，１４ｆには、図２又は図３に示すように、これらの接続部１４ｄ，１４ｅ，１４ｆがヒビ割れや破断しないように補強すべく、補強板１５，１５，１５（注記：図３では、一部破断して図示されている）が、該接続部１４ｄ，１４ｅ，１４ｆをそれぞれ挟む閉塞基板部１４ａと破風板固定部１４ｂとに、それぞれ２個ずつのステープル２１，２１により施工前に予め固定されている（図５参照）。そして、前記軒天材１４の換気用開口１４ｃ，１４ｃの近傍であって接続部１４ｄ，１４ｅ，１４ｆは、補強板１５，１５，１５により補強されてなることから、軒の出の出幅を増す場合においても、前記軒天材１４の中間位置に、上述した図示しない吊り木部材と野縁とを必ずしも追加する必要がない。なお、これらの補強板１５，１５，１５の素材は、亜鉛めっき等が施された各種のめっき鋼板、ステンレス鋼鈑等を選択的に使用することができる。また、補強板１５，１５，１５の固定位置は、軒天材１４の上面１４ｇではなく下面１４ｈ側であっても良いとともに、軒天材１４の接続部１４ｄ，１４ｅ，１４ｆではなく換気用開口１４ｃを跨ぐ位置でも良い。また、補強板１５の固定手段は、ステープル２１に限定されるものではなく、接着剤、釘、止めねじ等であっても良い。
【００１８】
また、前記軒天材１４の各換気用開口１４ｃの互いに対向する内壁面（符号は省略する）には、図２又は図３に示すように、テープ状に成形された熱膨張耐火性の２枚の膨張材１６，１６が、図４又は図５（ｂ）に示すそれぞれのステープル２３，２３，２３により施工前に予め固定されている。それぞれの膨張材１６の素材は、ブチルゴム系樹脂、熱膨張性黒鉛、無機系充填材等から組成された黒鉛含有ゴムシートでなり、火災により約３００℃に加熱されると常温時の約５倍に膨張し、約７００℃に加熱されると常温時の約１０倍に膨張する。したがって、それぞれの膨張材１６の厚さは、前記軒天材１４のそれぞれの換気用開口１４ｃの互いに対向する内幅の約１／１０以上の厚さを有していれば、上記加熱によりそれぞれの換気用開口１４ｃを閉塞して、外部からの火炎が軒天井空間１７内に侵入しないように阻止することができる。なお、前記軒天材１４の各換気用開口１４ｃに固定される膨張材１６の数は、２枚に限定されるものではなく１枚でも良い（この場合における膨張材１６の厚さは、前記換気用開口１４ｃの内幅の１／５以上が必要）。また、前記膨張材１６の素材は、前記黒鉛含有ゴムシートに限定されるものではなく、リン化合物を含有する材料、グラファイト系の材料等を使用することができる。また、前記膨張材１６の固定手段は、ステープル２３に限定されるものではなく、接着剤、釘、止めねじ等であっても良い。また、前記軒天材１４の各換気用開口１４ｃの下面１４ｈ側には、耐侯性ポリプロピレン、グラスファイバー、ステンレス等を素材としてなる図示しない防虫網を設置することにより、前記軒天井空間１７内に害虫類が入り込むことを防止することができる。
【００１９】
次に、上記破風板７の正面には、図１又は図２に示すように、破風板７を保護するとともに装飾用の破風板金１８が固定されてなり、この破風板金１８は、破風板７に固定される正面板部１８ａと、この正面板部１８ａから背面側に折曲され、前記軒天材１４の各破風板固定部１４ｂに固定される第１の横板部１８ｂと、この第１の横板部１８ｂから下方に折曲された第１の垂下板部１８ｃと、この第１の垂下板部１８ｃから前記軒天材１４の各換気用開口１４ｃの下方に折曲され該換気用開口１４ｃを換気可能に遮蔽する第２の横板部１８ｄと、この第２の横板部１８ｄから下方に折曲された第２の垂下板部１８ｅと、この第２の垂下板部１８ｅから鋭角に折曲された端部１８ｆとから構成されている。そして、前記軒天材１４と破風板金１８とを施工する際には、図１に示す軒天材１４の各閉塞基板部１４ａの端部を野縁１３の下面にそれぞれ固定し、図２に示す軒天材１４の各破風板固定部１４ｂの上面を（一部は前記補強板１５を介して）前記破風板７の下面にそれぞれ当接させるとともに、前記軒天材１４の各破風板固定部１４ｂの下面に前記破風板金１８の第１の横板部１８ｂを当接させて、前記軒天材１４は、釘（固定手段）２２により破風板金１８とともに破風板７にそれぞれ固定される。なお、前記軒天材１４は破風板７に対して、必ずしも、釘２２により破風板金１８とともに固定される必要はなく、軒天材１４を破風板７に固定した後、該軒天材１４に破風板金１８を固定しても良い。また、前記軒天材１４及び破風板金１８の固定手段は、釘に限定されるものではなく、止めねじ、ステープル等であっても良い。
【００２０】
したがって、このように施工された前記軒天材１４の各換気用開口１４ｃの下方には、前記破風板金１８の第１の垂下板部１８ｃ、第２の横板部１８ｄ及び第２の垂下板部１８ｅが延設されてなることから、前記軒天材１４の各換気用開口１４ｃが軒の下側から視認されることはなく、外部からの雨水は前記軒天材１４の各換気用開口１４ｃに浸入しないように阻止され、前記第１の垂下板部１８ｃ又は第２の垂下板部１８ｅを伝って下方へ滴下されるとともに、前記第２の横板部１８ｄと、前記軒天材１４の下面１４ｈとの間に形成された換気空間（符号は省略する）から前記軒天材１４の各換気用開口１４ｃを経て前記軒天井空間１７は換気される。
【００２１】
以上の説明から明らかなように、本発明の実施の形態によれば、前記軒天材１４には、図３又は図４に示すように、一列に並んだ複数の換気用開口１４ｃがそれぞれ形成されていることから、従来の多数の円形状の開口や、多数並列した長方形状の開口が形成された軒天材に対して軒天材の製造コストを抑制することができる。また、破風板７の正面には図２又は図４に示す破風板金１８が固定され、この破風板金１８の下端側は、前記軒天材１４の各換気用開口１４ｃの下方まで延設されてなることから、該換気用開口１４ｃが軒の下側から視認されることはなく、建物の外観を向上させることができる。さらに、この実施の形態では、前記軒天材１４の各換気用開口１４ｃは、該軒天材１４そのものに予め形成されており、該軒天材１４の施工時において野縁等の他の部材との間隔を開けて施工するものではないことから、施工の手間を省くことができ、工期の短縮化に十分貢献できるとともに、これまでも使用されている破風板７の下面に軒天材１４の破風板固定部１４ｂの上面を固定する構造としていることから、使用する建築材料のコストの増加を招くことが無い。
【図面の簡単な説明】
【００２２】
【図１】本発明の一実施の形態に係る軒天井の換気構造示す断面図である。
【図２】図１のＡ部拡大図である。
【図３】軒天材を示し図１のＢ矢視平面図である。
【図４】軒天井を一部破断して示し下面側からの斜視図である。
【図５】軒天井を一部破断して示し、（ａ）は上面側からの斜視図、（ｂ）は（ａ）のＡ部拡大図である。
【符号の説明】
【００２３】
１  軒天井の換気構造
５  野地板
７  破風板
１３  野縁
１４  軒天材
１４ａ  閉塞基板部
１４ｂ  破風板固定部
１４ｃ  換気用開口
１５  補強板
１６  膨張材
１７  軒天井空間
１８  破風板金
【図１】
0005110473.tif 000002
【図２】
0005110473.tif 000003
【図３】
0005110473.tif 000004
【図４】
0005110473.tif 000005
【図５】
0005110473.tif 000006